(57)【要約】【課題】記録媒体を用いるシステムにおいてユーザの使い勝手を向上させることができる画像形成装置管理システムを提供する。【解決手段】画像形成装置の利用者又は利用部門のＩＤコードが記録された記録媒体が管理装置にセットされた場合に、前記管理装置が前記ＩＤコード毎に前記画像形成装置の使用状況を管理する画像形成装置管理システムにおいて、  前記管理装置は、前記ＩＤコードとその使用制限情報を前記画像形成装置に送信することを特徴とする。【選択図】図１
2006056248.tif 000002
【特許請求の範囲】
【請求項１】
画像形成装置の利用者又は利用部門のＩＤコードが記録された記録媒体が管理装置にセットされた場合に、前記管理装置が前記ＩＤコード毎に前記画像形成装置の使用状況を管理する画像形成装置管理システムにおいて、  前記管理装置は、前記ＩＤコードとその使用制限情報を前記画像形成装置に送信することを特徴とする画像形成装置管理システム。
【請求項２】
前記画像形成装置は、入力ＩＤコードとその使用制限情報の要求を前記管理装置に送信することを特徴とする請求項１記載の画像形成装置管理システム。
【請求項３】
前記要求を受信した前記管理装置は、指定されたＩＤコードの使用制限情報を前記画像形成装置に伝達することを特徴とする請求項２記載の画像形成装置管理システム。
【請求項４】
前記画像形成装置は、前記管理装置から受信した前記ＩＤコードとその使用制限情報を現在動作中のジョブが終了するまで保持することを特徴とする請求項１または３記載の画像形成装置管理システム。
【請求項５】
前記画像形成装置は、モードクリアキーが押下された場合に前記ＩＤコードを無効化することを特徴とする請求項４記載の画像形成装置管理システム。
【請求項６】
前記画像形成装置は、あるアプリケーションのジョブの継続中における他のアプリケーションへの切り替えを許容することを特徴とする請求項１、２、４及び５のいずれか１項に記載の画像形成装置管理システム。
【請求項７】
前記管理装置は、あるアプリケーションのジョブの継続中に記録媒体が除去され、新規な記録媒体がセットされた場合にそのカードを受け付けてＩＤコードとその使用制限情報を前記画像形成装置に送信することを特徴とする請求項１または３に記載の画像形成装置管理システム。
【請求項８】
前記管理装置は、前記新規な記録媒体の使用状況を記憶することを特徴とする請求項７記載の画像形成装置管理システム。
【請求項９】
前記管理装置は、前記画像形成装置の指示にしたがって表示を行うことを特徴とする請求項１、２、３、７及び８のいずれか１項に記載の画像形成装置管理システム。
【発明の詳細な説明】
【技術分野】
【０００１】
本発明は、複写機、プリンタ、ファクシミリなどの画像形成装置の使用状況を記録媒体や暗証コードにより管理する画像形成装置管理システムに関する。
【背景技術】
【０００２】
この種の管理システムでは、画像形成装置の使用状況を利用者又は利用部門のＩＤコード毎に管理するために画像形成装置とホスト側の管理装置が接続される。そして、第１の従来例では、ＩＤコードが記録された例えばカード形状の記録媒体を管理装置にセットすると使用可能となり、また、使用枚数などが管理装置により記録媒体に書き込まれる。
【０００３】
また第２の従来例として、記録媒体の代わりに利用者又は利用部門毎の暗証コードを複写機等のテンキーを介して入力する方法が知られている。この方法によれば、ユーザは記録媒体を持ち運ぶ必要がないので便利であるが、どの暗証コードを有効にするかの情報や、暗証コード毎の使用状況を記憶するには画像形成装置側のメモリだけでは不十分であるので、ＩＤ数や記憶情報量が少ないシステムに用いられている。なお、この種の従来例としては、例えば特許文献１ないし３に示されている。
【特許文献１】特開平５−２４１３８９号公報
【特許文献２】特開平１０−２３１８９号公報
【特許文献３】特開平１０−６５８５７号公報
【発明の開示】
【発明が解決しようとする課題】
【０００４】
ところで、近年では例えば複写機、プリンタ、ファクシミリ（ＦＡＸ）の複合機が多くなり、このような複合機では例えばプリント中にファクシミリ原稿を読み取るなどのマルチタスクが可能である。また、近年のデジタル複写機では、複数部のコピーを行う場合、原稿画像を読み込んでハードディスクなどの記憶装置に格納してプリントを行うものも知られている。この場合、原稿画像の読み込みが終了すれば次のジョブの原稿画像読み込みが可能である。
【０００５】
しかしながら、上記第１の従来例の管理システムでは、記録媒体が管理装置にセットされている場合のみ画像形成装置が使用可能となり、このとき画像形成装置から管理装置に対してカウント枚数が転送され、管理装置がカウント枚数を記録媒体に書き込むので、ユーザが画像形成装置を使用中に異なるアプリケーションに切り替えたり（例えば複写機能からファクシミリへの切り替え）、次のジョブの予約を行うことができないという問題点がある。また、記録媒体が管理装置から抜かれると画像形成装置が停止したりして、ＩＤが異なるユーザが１台の画像形成装置をマルチタスクで利用することもできない。更に、ユーザは自己のジョブが完了するまで記録媒体を抜くことができないので、結局、その場を離れることができないということになる。
【０００６】
また、上記第２の従来例では、ＩＤ数や記憶情報量が多いシステムには適用することができない。
【０００７】
本発明の目的は、上記第１の従来例の問題点に鑑み、記録媒体を用いるシステムにおいてユーザの使い勝手を向上させることができる画像形成装置管理システムを提供することにある。
【０００８】
本発明の他の目的は、上記第２の従来例の問題点に鑑み、暗唱コードを用いるシステムにおいてＩＤ数や記憶情報量が多い場合にも対応することができる画像形成装置管理システムを提供することにある。
【課題を解決するための手段】
【０００９】
上記目的を達成するため、第１の手段は上記目的を達成するために、画像形成装置の利用者又は利用部門のＩＤコードが記録された記録媒体が管理装置にセットされた場合に、前記管理装置が前記ＩＤコード毎に前記画像形成装置の使用状況を管理する画像形成装置管理システムにおいて、前記管理装置は、前記ＩＤコードとその使用制限情報を前記画像形成装置に送信することを特徴とする。
【００１０】
第２の手段は、第１の手段において、前記画像形成装置は、入力ＩＤコードとその使用制限情報の要求を前記管理装置に送信することを特徴とする。
【００１１】
第３の手段は、第２の手段において、前記要求を受けた前記管理装置は、指定されたＩＤコードの使用制限情報を前記画像形成装置に伝達することを特徴とする。
【００１２】
第４の手段は、第１または第３の手段において、前記画像形成装置は、前記管理装置から受信した前記ＩＤコードとその使用制限情報を現在動作中のジョブが終了するまで保持することを特徴とする。
【００１３】
第５の手段は、第４の手段において、前記画像形成装置は、モードクリアキーが押下された場合に前記ＩＤコードを無効化することを特徴とする。
【００１４】
第６の手段は、第１、２、４、及び５の手段において、前記画像形成装置は、あるアプリケーションのジョブの継続中の他のアプリケーションへの切り替えを許容することを特徴とする。
【００１５】
第７の手段は、第１または第３の手段において、前記管理装置は、あるアプリケーションのジョブの継続中に記録媒体が除去され、新規な記録媒体がセットされた場合にそのカードを受け付けてＩＤコードとその使用制限情報を前記画像形成装置に送信することを特徴とする。
【００１６】
第８の手段は、第７の手段において、前記管理装置は、前記新規な記録媒体の使用状況を記憶することを特徴とする。
【００１７】
第９の手段は、第１、２、３、７及び８の手段おいて、前記管理装置は、前記画像形成装置の指示にしたがって表示を行うことを特徴とする。
【発明の効果】
【００１８】
以上のように、請求項１記載の発明によれば、管理装置がＩＤコードとその使用制限情報を画像形成装置に送信するので、画像形成装置側でＩＤコードとそのＩＤコードに対応する使用制限情報を取得することができ、これにより、画像形成装置側で取得した情報に基づいた制御が可能になる。
【００１９】
請求項２記載の発明によれば、画像形成装置が入力ＩＤコードとその使用制限情報の要求を管理装置に送信するので、管理装置側で画像形成装置が要求する情報を取得することができ、取得した情報に対応した制御が可能になる。
【００２０】
請求項３記載の発明によれば、管理装置は、画像形成装置側からの要求に対して指定されたＩＤコードの使用制限情報を画像形成装置に伝達するので、画像形成装置側では、管理装置側から取得した情報に応じた制御が可能になる。
【００２１】
請求項４記載の発明によれば、画像形成装置は管理装置から受信したＩＤコードとその使用制限情報を現在動作中のジョブが終了するまで保持するので、ユーザはジョブ途中で記録媒体を管理装置から抜くことができ、これによりユーザの使い勝手を向上させることができる。
【００２２】
請求項５記載の発明によれば、画像形成装置はモードクリアキーが押下された場合にＩＤコードを無効化するので、ＩＤコードが他人に使われることを防止することができる。
【００２３】
請求項６記載の発明によれば、画像形成装置は、あるアプリケーションのジョブの継続中における他のアプリケーションへの切り替えを許容するので、ジョブ途中でアプリケーションを切り替えたり、異なるＩＤコードでジョブの予約やマルチタスクを実現することができる。
【００２４】
請求項７記載の発明によれば、管理装置は、あるアプリケーションのジョブの継続中に記録媒体が除去され、新規な記録媒体がセットされた場合にそのカードを受け付けてＩＤコードとその使用制限情報を画像形成装置に送信するので、ユーザはジョブ途中で記録媒体を管理装置から抜くことができ、また、ジョブ途中でアプリケーションを切り替えたり、異なるＩＤコードでジョブの予約やマルチタスクを実現することができる。
【００２５】
請求項８記載の発明によれば、管理装置は新規な記録媒体の使用状況を記憶するので、ユーザはジョブ途中で記録媒体を管理装置から抜くことができ、また、ジョブ途中でアプリケーションを切り替えたり、異なるＩＤコードでジョブの予約やマルチタスクを実現することができる。
【００２６】
請求項９記載の発明によれば、管理装置は画像形成装置の指示にしたがって表示を行うので、表示がＩＤコードと使用制限情報に関するものではなく、ジョブ実行中の記録媒体の情報に関するものとなり、ユーザの使い勝手を向上させることができる。
【発明を実施するための最良の形態】
【００２７】
以下、図面を参照して本発明の実施の形態について説明する。
【００２８】
図１は本発明に係る画像形成装置管理システムの一実施形態を示す構成図、図２は図１の複写機の操作部を示す構成図、図３は図１の複写機のソフトウエア構造を示す説明図、図４は図１の画像形成装置管理システムのハードウエア構成を示すブロック図、図５はアプリケーション層とシステム制御層の関係を示す説明図、図６はコピーアプリケーションとプリンタアプリケーションのインタリーブ動作を示す説明図、図７はＦＡＸアプリケーションとプリンタアプリケーションの並列動作を示す説明図、図８は送信状態遷移を示す説明図、図９は受信状態遷移を示す説明図、図１０は図１の画像形成装置管理システムの動作を示す説明図である。
【００２９】
ここで、本明細書における用語について説明する。
【００３０】
「画像読み取り装置」
デジタル複写機において用いられている「画像読み取り装置」は、光源光を原稿に照射し、その反射光を固体撮像素子（ＣＣＤ）により電気信号に変換し、その電気信号に対して必要な画像処理を行う。
【００３１】
「画像形成装置」
「画像形成装置」は電気信号の画像イメージを電子写真方式、感熱方式、熱転写方式、インクジェット方式などにより普通紙、感熱紙などに形成する。
【００３２】
「拡張機能」または「アプリケーション」
デジタル複写機の大きな特徴は、画像を電気信号に変換して読み込み、この電気信号を「画像形成装置」により復元することにあるので、このとき読み取った電気信号を様々に変化、伝達する手段を持つことにより複写機以外の用途に応用可能となる。この応用範囲としては、前述したＦＡＸ、プリンタ以外にスキャナ、ファイルシステム等のように非常に広く、これらの「拡張機能」を「アプリケーション」または「アプリ」と表現する。
【００３３】
「ビデオ信号」
「画像読み取り装置」により変換された画像の電気信号、「画像形成装置」に入力する画像の電気信号、これらの画像の電気信号を同期をとるための信号をまとめて「ビデオ信号」と表現する。
【００３４】
「制御信号」又は「コマンド」
この「ビデオ信号」を「画像読み取り装置」、「画像形成装置」、「アプリケーション」間でやり取りするためには、装置間で情報を伝達する必要が有り、この情報を「制御信号」又は「コマンド」と表現する。
【００３５】
「システム」、「システム制御部」または「システムコントローラ」
最近のデジタル複写機では１つではなく、複数の「アプリケーション」が搭載されることが多く、複数の「アプリ」が１つの「資源」を共有するデジタル複写機を「システム」と表現する。また、この「システム」を制御するコントローラを「システム制御部」または「システムコントローラ」と表現する。
【００３６】
「資源」、「リソース」
複数の「アプリ」により共有される機能ユニットの単位を「資源」、「リソース」と表現し、複数の「システムコントローラ」は「システム」を「リソース」単位で制御する。本発明のデジタル複写機により管理されている「資源」は、「画像読み取り装置」、「画像形成装置」、「操作部」、「メモリ」、「周辺機（ＤＦ＝原稿仕送り装置、ソータ等）」等である。
【００３７】
「差し込み出力」または「インタリーブ」
通常の画像出力時には、目的を同じくする一連の動作（＝１ジョブ）を完了するまで他の動作は実行しない。例えば最近のデジタル複写機では機能が複合され、複写機＋ＦＡＸまたはプリンタ、あるいはそれ以外の組み合わせが１台に集約されている。しかし、その殆どが複写機能の動作が終了した後にプリンタ出力に切り替えたりして機能単位（＝ジョブ単位）で出力を切り替える。これに対して、１ジョブの出力中に他のジョブの出力を差し込んで出力することを「差し込み出力」または「インタリーブ」と表現する。例えば複写機の出力中に機械を止めることなくプリンタ出力を実現する。
【００３８】
「初期設定」
よく使用する条件に合わせて各機能の初期設定値を変更したり、操作条件を設定することを「初期設定」と表現する。この「初期設定」には、複写機システム全般の機能を設定する「システム初期設定」と、コピーモードの機能に限定した「コピー初期設定」と、ファクシミリモードの機能に限定した「ファクシミリ初期設定」等がある。例えば「システム初期設定」には、キー操作後一定時間なにも操作が行われなかったときに、電源投入時の状態に戻す「オートクリア時間の設定」等があり、「コピー初期設定」には、セット可能なコピー枚数の上限を変更する「コピーセット枚数制限の設定」や、「片面→両面」コピー時に裏面の左綴じ代幅が設定可能な「両面コピー左綴じ幅の設定」等がある。「ファクシミリ初期設定」には、受信時刻を印字する機能を選択する「受信時刻印字の設定」や、よく使用する相手の電話番号を登録する「宛先登録」等がある。
【００３９】
図１は一例として、デジタル複写機１と課金管理装置であるキーカード装置１０が接続されたシステムを示している。キーカード装置１０はキーカード表示部１１と、ユーザＩＤなどが記録されたカード１２を読み取るキーカード読み取り部１３を有する。
【００４０】
デジタル複写機１には図２に詳しく示すような操作部２００が設けられ、操作部２００の中央には設定状態や警告等のメッセージを表示するためのＬＣＤ２００ａが設けられている。また、プログラム登録／呼び出しキー２０１、初期設定キー２０３、割り込みキー２０３、ＦＡＸ用短縮キー２０４、テンキー２０５、アプリケーション切り替えキー２０６、スタートキー２０７等が設けられている。
【００４１】
アプリケーション切り替えキー２０６はコピー、プリンタ、ＦＡＸの各アプリケーションを切り替えるためのキーを有し、このキー２０６によりアプリケーションが選択されるとそのアプリケーションに操作部表示権が譲渡される。なお、例えばＦＡＸ機能が搭載されていないシステムの場合、ＦＡＸキーの押下を無視するか、ＦＡＸキーを操作部２００に表示しない。また図示省略されているが、操作部２００の裏側にはキー押下時や警告時に音を鳴らすためのスピーカが設けられている。
【００４２】
マルチタスク型のシステムを構成する場合には、図３に示すように機能単位をリソースとして扱い、１つのリソースを複数のアプリで共有するための管理を行う。この複写機のソフトウエア構造は、図３に示すようにアプリケーション層１０１と、システム制御層１０２とデバイス制御層１０３により構成される。
【００４３】
アプリケーション層１０１はコピーアプリ１０１−１と、プリンタアプリ１０１−２と、ＦＡＸアプリ１０１−３とその他のアプリ１０１−４を有する。システム制御層１０２はシステム制御部（システムコントローラ）１０２−１と、操作部コントローラ１０２−２と、周辺機コントローラ１０２−３と、画像形成装置コントローラ１０２−４と、画像読み取り装置コントローラ１０２−５を有する。デバイス制御層１０３は入出力制御部１０３−１を有し、システム制御層１０２からのコマンド、制御信号等の論理指示と、装置を実際の動かすためにクラッチ、センサ、モータ等の機械的に駆動、入力を行うための信号の変換を行う。アプリケーション層１０１はシステム制御層１０２から提供される機能により複数のアプリ１０１−１〜１０１−３が共存することができる。
【００４４】
この複写機のハードウエア構造は、図４に示すようにコピーアプリ１０１−１と、プリンタアプリ１０１−２と、ＦＡＸアプリ１０１−３の各々がＣＰＵを有し、各ＣＰＵがシステム制御層１０２とデバイス制御層１０３を制御するようにしてもよい。また、代わりにこれらの複数のアプリ１０１−１〜１０１−３と、システム制御部１０２−１及び各リソース１０２−２〜１０２−５の各々がＣＰＵを有し、システム制御部１０２−１から各コントローラへのコマンドを制御信号線で伝達するハードウエアでもよい。
【００４５】
デジタル複写機のシステム制御部１０２−１とキーカード装置１０は制御信号線１４を介して接続され、また、シリアル通信を行う。なお、図４には操作部２００の制御を行うために操作部制御バスが設けられているが、代わりに上記の制御信号線を介してコマンドをやり取りするようにしてもよい。このようにシステムのハードウエア構成は自由である。
【００４６】
アプリケーション層１０１とシステム制御層１０２については、図５に示すようにアプリケーション層１０１から見た場合、システム制御層１０２は全てのアプリ１０１−１〜１０１−３毎に仮想リソースが存在するような機能を提供する。このような機能によりアプリケーション層１０１は特にシステム状態を管理する必要がなく、システム制御層１０２は全てのアプリ１０１−１〜１０１−３を同一の条件で管理することができる。すなわちアプリ１０１−１〜１０１−３は使用したいリソースが発生した時点でその使用要求をシステム制御部１０２−１に送る。システム制御部１０２−１はその時点でリソースの使用状況を判断して、その判断結果を要求元のアプリ１０１−１〜１０１−３に送る。要求元のアプリ１０１−１〜１０１−３はその判断結果が「使用可能」であれば図６、図７に示すように処理を実行する。基本的には同様な手順でリソースの実行権を管理する。
【００４７】
ところで、図３に示すように各リソース１０２−２〜１０２−５は１台しかない。このためシステム制御部１０２−１ではアプリ１０１−１〜１０１−３毎の仮想リソースの使用要求が競合した場合、実際のリソース使用権を渡すために排他的制御又は時分割制御を行う必要がある。なお、排他的制御を行うか又は時分割制御を行うかは、リソースの種類やユーザ設定により決定される。
【００４８】
図６、図７について簡単に説明すると、破線で囲まれたリソースは仮想リソースであり、実行権（操作部の場合に表示権）がとられていない状態である。実線で囲まれたリソースは実行権がとられた状態である。また、図６はコピーアプリ１０１−１とプリンタアプリ１０１−２のインタリーブ動作を示し、コピーアプリ１０１−１は「操作部」、「画像形成装置」及び「画像読み取り装置」の全てのリソースの実行権を取って実行中である。
【００４９】
このときプリンタアプリ１０１−２から「画像形成装置」のリソースの使用要求のみが発生した場合、ユーザ設定により予め「インタリーブモード可能」が設定されているときには、システム制御部１０２−１は「画像形成装置」のリソースを時分割で割り付ける。この時分割割り付け制御により、リソースの実行権が複数のアプリ間で動的に変化する。このため「画像形成装置」の出力は、コピーアプリ１０１−１の出力とプリンタアプリ１０１−２の出力が混在することになる。したがって、「画像形成装置」が停止しないので、両者のアプリ１０１−１、１０１−２の待ち時間を最小限にすることができる。
【００５０】
図７はＦＡＸアプリ１０１−３が「操作部」の表示権を有し、また、プリンタアプリ１０１−２とＦＡＸアプリ１０１−３が印刷の並列動作していることを示している。すなわちＦＡＸアプリ１０１−３が送信モード等において「操作部」と「画像読み取り装置」のリソースのみを使用し、プリンタアプリ１０１−２がプリンタ出力モード等において「画像形成装置」のみを使用している。このためプリンタアプリ１０１−２とＦＡＸアプリ１０１−３が同時にリソースを使用要求しても、リソースの使用要求が競合しないので、排他的制御又は時分割制御を行う必要がなく、また、両者のアプリ１０１−２、１０１−３のリソース使用要求を受け入れることができ、したがって、アプリ１０１−２、１０１−３の動作を同時に行うことができる。
【００５１】
次に図８、図９を参照してシステム制御部１０２−１と他のユニットやアプリ１０１−１〜１０１−３との通信と、システム制御部１０２−１とキーカード装置との通信について説明する。ここで、通信のハンドシェークとしては、シリアル通信、パラレル通信などが知られているが、ここで、シリアル通信を例にして説明する。また、シリアル通信として例えば
伝送速度：９６００ビット／ｓ
同期方式：調歩同期式（非同期）
データ長：８ビット
スタートビット：１ビット
ストップビット：１ビット
パリティビット：奇数
とする。
【００５２】
また、送受信は各フレーム単位で行い、通信上の誤り回復方法として受信局はフレームを受信した場合にＡＣＫ（肯定：Acknowledge）信号又はＮＡＫ（否定
：Non-Acknowledge）信号を送信局に通知する。送信局はＡＣＫ信号を受信する
と相手局がフレームを正常に受信したことを認識し、他方、ＮＡＫ信号を受信した場合には回線上のエラー（例えばパリティエラー、フレームエラーなど）が発生したものとしてフレームを再送する。また、フレーム送信後、所定時間（例えば３００ｍｓ）が経過してもＡＣＫ信号もＮＡＫ信号も受信しない場合（タイムアウトエラーが発生した場合）にも、相手局が無応答と判断してフレームを再送する。
【００５３】
また、フレームデータとしてＡＳＣＩＩ文字列（Ｈ’２０〜Ｈ’ＦＦ）を用い、更にＡＣＫ、ＮＡＫ等の制御データとしてＨ’００〜Ｈ’１Ｆが割り当てられている。具体的にはＡＣＫ＝Ｈ’０４、ＮＡＫ＝Ｈ’０５が割り当てられている。また、図９におけるコード「ＢＦＬ」は、相手局の受信バッファが一杯になったことを通知するための制御コード（具体的にはＢＦＬ＝Ｈ’０３）である。
【００５４】
図１に示すカード１２は、使用者を識別するためのＩＤコードが記録された磁気ストライプ付きカードである。コピー枚数等の管理情報はキーカード装置内の不図示のＲＡＭに記憶される。キーカード読み取り部（カードリーダ）１３は下側読み取りヘッド、上側読み取りヘッド、カード挿入口などを有し、カード１２の磁気ストライプに記憶されている磁気情報を読み取ってその読み取りデータを装置１０内の制御部に出力する。表示部１１はこの制御部の制御に基づいて部門番号やコピー枚数などを表示する。制御部はＣＰＵ、プログラムＲＯＭ、ＲＡＭなどを有し、この装置１０の制御とコピー枚数及び設定の記憶などを行う。また、スイッチとして操作者がこの装置１０に対して各種設定を行うために管理スイッチ、リコールキーなどが設けられ、また、複写機１、不図示のプリンタや外部設定装置、ＰＣとの間でデータをやり取りするためにＩ／Ｆ部が設けられている。
【００５５】
カード１２は一例として、ＪＩＳ  ＩとＪＩＳ  II（ＪＩＳ−Ｘ−６３０１により定められているＩ型、II型の磁気カード）の２種類が使用され、そのストライプにはＪＩＳ−Ｘ−６３０１により定められている規格に従ってトラック位置、記録密度、記録方式（周波数変調方式）、記録角度のデータが記録されている。ここで、ＪＩＳ  ＩカードとＪＩＳ  IIカードは読み取り方向に対して磁気面が正反対であり、例えばカード１２を図１において右側のカード挿入口１１−３から左に移動させると、ＪＩＳ  Ｉカードの磁気面は下面であり、ＪＩＳ  IIカードの磁気面は上面である。したがって、ＪＩＳ  Ｉカードは下側読み取りヘッドにより読み取られ、他方、ＪＩＳ  IIカードは上側読み取りヘッドにより読み取られる。
【００５６】
そして、管理者によりこのカード１２の種類（ＪＩＳ  Ｉ/II）が最初に管理
装置１０に対して登録され、次いで磁気カード１２に記録されるそのカード特有の識別コード範囲と、識別コードと利用者コードが登録される。ＪＩＳ  II規格の磁気カードを社員証として発行する場合を例にすると、同一規格のカードと識別するためにその会社独自の識別コードが登録される。ここで、ＪＩＳ  II規格のフォーマットは次の通りである。
【００５７】
始め符号：    １キャラクタ
データ：最大６９キャラクタ
終わり符号：  １キャラクタ
ＬＲＣ符号：  １キャラクタ
合計：  最大７２キャラクタ
したがって、ＪＩＳ  II規格の磁気カードを社員証として作成する場合にはデータ量は最大６９キャラクタであるので、この範囲内でその会社独自の識別コードや社員番号等を配置する。また、そのデータ位置は会社に依って異なるので会社独自の識別コードや社員番号等をその所定位置に配置する。
【００５８】
一例として社員証が以下のように定められている場合、
１：        始まり符号
２〜５：    スペース
６〜１０：  会社独自の識別コード”ＲＩＣＯＨ”
１１〜１６：社員番号
１７〜２２：発行年月日  ＹＹＭＭＤＤ
２３：      性別  ０：男性、１：女性
２４〜３７：氏名
３８〜７０：スペース
７１：      終わり符号
７２：      ＬＲＣ符号
７３〜：    スペース
管理者は管理装置１０に対して以下のように設定する。
【００５９】
（ａ）識別コードは６〜１０バイト目であることを設定する。
【００６０】
（ｂ）識別コードが”ＲＩＣＯＨ”であることを設定する。
【００６１】
（ｃ）社員番号が１１〜１６バイト目であることを設定する。
【００６２】
この情報は制御部内のＲＡＭ内に記憶され、ＲＡＭのクリア作業が行われるまで有効である。また、上記設定は管理者や、メンテナンス担当者しか行うことができないように、管理スイッチや暗号入力により設定モードに移行した後にスイッチと表示部１１を介して行う。
【００６３】
複写機１と装置１０は、電源ケーブルとインタフェースケーブルを有するケーブル１４を介して接続され、装置１０は電源ケーブルを介して複写機１から電源を供給されるが、別の電源（ＡＣアダプタ）により動作することもできる。これは後述するが、夜間のように複写機１の電源がＯＦＦの時にパーソナルコンピュータ（ＰＣ）が装置１０からコピー枚数を集計するためである。インタフェースケーブルは複写機１と装置１０との間でデータをやり取りするために使用される。
【００６４】
複写機１を用いてコピーを行うユーザがカード１２を管理装置１０の読み取り部１３に挿入すると、カード１２の磁気ストライプに記録されている以下のような識別コードとカード番号、更にはコピー枚数が読み取られる。
【００６５】
・識別コード（そのコードがこの管理装置１０用のカードであることを示すコード）
・カード番号（１つの部門が複数のカードを所有する場合には各カードには同一のカード番号）
そして、装置１０（詳しくは制御部）は、そのカード１２の識別コードが予め設定されている識別コードと比較して一致しない場合には「使用不可」を表示部２に表示する。他方、一致する場合には後述する「ユーザ状態通知」を複写機１に送り、また、そのカード番号によりコピーされたトータルコピー枚数を表示したり、又は設定によっては残りのコピー可能枚数を表示する。ここで、複写機１は装置１０からの「ユーザ状態通知」に基づいて、コピー可能なときには図示省略されているが操作部２００上のスタートキー２０７の発光部を緑で点灯し、他方、コピー不可のときには赤で点灯して操作部においてカード１２を装置１０に挿入するように表示を行う。
【００６６】
ここで、各アプリケーション毎の使用許可の設定等については、装置１０のスイッチや外部のＰＣを介して各ＩＤ毎に使用を許可するアプリケーションやモード、又は使用を禁止するアプリケーションやモードを設定することができ、この設定情報は図４に示すロギング１５に記憶される。そして、装置１０はカード１２のＩＤと後述する「ユーザ状態通知」を複写機１に送ると、複写機１はこの「ユーザ状態通知」に基づいてアプリケーションやモード毎の使用者制限を行う。      
使用者制限としては次のようなものがある。
【００６７】
・全禁止（全部門禁止）：
全ての部門のコピーを禁止する。装置１０はどのカードＣが挿入されてもコピー許可信号を出力しない。
【００６８】
・カード番号による禁止（指定部門禁止）：
特定の部門のみのコピーを禁止する。装置１０は予め「コピー不可」が設定されている番号のカードが挿入された時のみコピー許可信号を出力しない。
【００６９】
・コピー種類による禁止：
「全部門」と「指定部門」のみの設定が可能であり、例えばカラーコピーをデザイン部門に対しては禁止せず、他の部門に対しては禁止することにより無用なカラーコピーを防止する。
【００７０】
・上限枚数による禁止：
複写機１から送られてくるコピーカウント信号の数をコピー種類やコピーモード毎に記憶して、その枚数が予め設定されている上限枚数に達するとコピー許可信号を出力しない。「全部門」と、「指定部門のみ」と「コピー種類毎」の設定が可能であり、例えば１ヶ月のトータルコピー枚数やカラーコピー枚数を制限する場合に設定する。
【００７１】
・リピートコピー枚数による禁止：
複写機１からのリピートコピー枚数信号が予め設定されている上限枚数を越えるとコピー許可信号を出力しない。これは所定枚数を超えるリピートコピーの場合に、他の安価な印刷機を使用させるときなどに使用する。
【００７２】
装置１０はカード１２が読み取り部１３に挿入されたときと、複写機１から情報要求（ユーザ状態通知要求）があったときに以下の情報（ユーザ状態通知）を１セットで複写機１に送信する。
【００７３】
・ＩＤコード
カード１２に記録されているＩＤコード
・カード挿入状態
カードなし／カードセット
・コピーカウンタ状態
上限が設定されているときのコピー残度数の状態
・コピー利用者制限
コピー、片面、両面、白黒、シングルカラー、２色カラー、フルカラー、ステープルの使用が禁止に設定されているか否かの情報
・ＦＡＸカウンタ状態
上限が設定されているときのＦＡＸ送信の残度数の状態
・ＦＡＸ利用者制限
ＦＡＸの使用が禁止に設定されているか否かの情報
・プリンタカウンタ状態
上限が設定されているときのプリンタの残度数の状態
・プリンタ利用者制限
プリンタの使用が禁止に設定されているか否かの情報
複写機１は装置１０から上記の「ユーザ状態通知」に基づいて、アプリ１０１−１〜１０１−３の切り替えを禁止／許可したり、操作部２００に警告を表示するための判断を行う。また複写機１は当該アプリ１０１−１〜１０１−３による作業が終了するまで上記の「ユーザ状態通知」を記憶しており、作業中にカード１２が装置１０から抜かれても作業を停止しない（但し、上限設定時を除く）。      
すなわち、第１の従来例では、上記の「ユーザ状態通知」が装置１０から複写機１に送られなかったので、作業中にカード１２が装置１０から抜かれると複写機１が作業を停止する必要があった。また、次のカード１２が挿入されてＩＤが異なると次のジョブを予約することができなかった。本発明では、作業中にカード１２が装置１０から抜かれても作業を停止せず、次のジョブの予約やアプリ１０１−１〜１０１−３の切り替え等が可能になるので、次のカード１２が挿入されてＩＤが異なっても例えばコピー出力とＦＡＸ読み込み等を並行して行うことができる。
【００７４】
複写機１は動作中には以下の情報（カウント要求）を１セットで装置１０に送信する。
【００７５】
・ＩＤコード
どのＩＤコードに対してのカウント要求かを示す情報
・カウント対象
コピー、ＦＡＸ送信、ＦＡＸ受信、スキャナ読み込み、プリント、ステープル、版作成、管理レポートのどれに対してのカウント要求かを示す情報
・カウントパラメータ
この情報はカウント枚数、種類の情報、カウント対象に応じて以下のように異なる。
【００７６】
コピーの場合：枚数、カラーモード、片面／両面、サイズ、紙種など
ＦＡＸ送信の場合：送信回数、送信料金、送信原稿枚数、送信時間、回線種別など
ＦＡＸ受信の場合：受信枚数、片面／両面、紙サイズ、回線種別
プリントの場合：プリント枚数、カラーモード、片面／両面、紙サイズ、紙種  後処理の場合：ステープル回数
版（印刷機の版）の場合：版作成回数
管理レポートの場合：出力枚数
また、以下の情報も複写機１と装置１０の間でやり取りする。
【００７７】
・管理装置状態通知
装置１０がＲＡＭの初期化中など、カウント情報を受け付けることができないときにその状態を複写機１に通知する。
【００７８】
・ＬＣＤ表示
予約時や、２つのアプリが同時に動作している場合、現在メインで動作中のアプリのＩＤと、装置１０に現在挿入されているカードＩＤが一致しないときに、複写機１は装置１０に対して、どのＩＤに関する情報を表示器１１に表示すればよいか、また表示をオン／オフするコマンドを通知する。
【００７９】
次に実際の動作を説明する。
【００８０】
＜コピーを行う場合＞
・複写機１、装置１０の表示部２００ａ、１１に「カードをセットして下さい」を表示する。
【００８１】
・カード１２が装置１０に挿入されると、装置１０は複写機１に対して「ユーザ状態通知」を送信する。
【００８２】
・複写機１はこの「ユーザ状態通知」に基づいて、使用可能なアプリケーションとモードを判断し、使用不可能なアプリケーションに切り替えることを禁止したり、切り替えられたときには「使用不可能」を表示する。
【００８３】
・コピーが開始されると複写機１は「カウント要求」を装置１０に送信する。後処理を行った場合にはそのカウント要求も行う。
【００８４】
・装置１０はこの「カウント要求」の中のＩＤ、カウントパラメータをＲＡＭのカウントエリアに記憶する。このとき、装置１０において管理しない設定に対して、「カウント要求」が来た場合には無視する。
【００８５】
・ジョブの途中でカード１２が抜かれた場合には、複写機１はそのジョブ終了後にそのＩＤコードを無効にする。ジョブ終了後にカード１２が抜かれた場合には、その時点でそのＩＤコードを無効にする。
【００８６】
次に図１０を参照してアプリケーションの切り替え処理と割り込み処理について説明する。図１０は一例として、コピー中にＦＡＸ送信を異なるカードで行う場合を示している。
【００８７】
（１）先ず、複写機１のアプリケーション切り替えキー２０６のコピーボタンが押下されると、複写機１はコピーアプリに切り替わり、また、複写機１は「カードをセットして下さい（コピー）」を表示する。装置１０は「カードをセットして下さい」を表示している。
【００８８】
（２）次いで例えばＩＤコード＝００１のカード１２が装置１０にセットされると、装置１０は複写機１に対してＩＤコード＝００１の「ユーザ状態通知」を送信し、また、ＩＤコード＝００１のカウント値を表示する。複写機１は「コピーできます」を表示する。
【００８９】
（３）次いで複写機１においてスタートキー２０７が押下されてコピー開始指示が行われると、複写機１は原稿を先読みしてプリント状態に移行すると共に、装置１０に対してＩＤコード＝００１の「カウント要求」を送信し、また、「コピー中です」を表示する。そして、装置１０は「カウント要求」が送られてくる毎にカウントを行い、また、表示カウント数をカウントアップする。
【００９０】
（４）次いでプリント中にアプリケーション切り替えキー２０６のＦＡＸボタンが押下されると、複写機１はプリント状態を継続してＦＡＸアプリに切り替わり、バックグランドのプリント作業を継続して装置１０に対してＩＤコード＝００１の「カウント要求」を送信し、また、「カードをセットして下さい（ＦＡＸ）」を表示する。装置１０はなにも表示しない。この場合、もしアプリ切り替えの前にＩＤコード＝００１のカード１２が抜かれても複写機１はプリント状態を継続し、また、もしプリントが中断されてＦＡＸアプリに切り替わる前にＩＤコード＝００１のカード１２が抜かれるとＩＤコード＝００１を無効化する。
【００９１】
（５）次いでＩＤコード＝００１のカード１２が抜かれると複写機１と装置１０は上記（４）と同様な処理を行う。
【００９２】
（６）次いで例えばＩＤコード＝００２のカード１２が装置１０にセットされると、装置１０は複写機１に対してＩＤコード＝００２の「ユーザ状態通知」を送信し、また、ＩＤコード＝００２のカウント値を表示する。複写機１は「ＦＡＸできます」を表示する。
【００９３】
（７）次いで複写機１においてスタートキー２０７が押下されてＦＡＸの原稿読み取り開始指示が行われると、複写機１は原稿を読み取って送信を開始し、このとき「読み取り中です」、「送信中です」を表示する。装置１０はＩＤコード＝００２のカウント値を表示している。このとき、ＦＡＸ操作中にバックグランドのプリント作業が終了した場合にＩＤコード＝００１を無効化する。
【００９４】
（８）次いで複写機１においてＦＡＸ送信が完了すると複写機１はＩＤコード＝００２の「カウント要求」を送信すると共に、「ＦＡＸできます」を表示する。装置１０はＩＤコード＝００２のカウント値を表示している。このとき、カード１２が抜かれていても、ＩＤコード＝００２のカウントを行う。
【００９５】
（９）次いで複写機１はアプリケーション切り替えキー２０６のコピーボタンが押下されると、プリント継続中の場合には「コピー中です」を表示し、次のジョブが予約可能な場合には「カードをセットして下さい（コピー）」を表示する。装置１０はＩＤコード＝００１の「カウント要求」が送られてくる毎にカウントを行い、また、ＩＤコード＝００２のカード１２がセットされていてもＩＤコード＝００１の表示カウント枚数をその「カウント要求」が送られてくる毎にカウントアップする。また、複写機１においてコピージョブのプリントが完了すると、複写機１と装置１０は共に「カードをセットして下さい」を表示する。
【００９６】
次にカード１２の代わりに暗証コードを複写機１のテンキー２０５を介して入力する第２の実施形態について説明する。なお、装置１０のハードウエア構成は、読み取り部１３が設けられていないことを除き、第１の実施形態と同一である。
【００９７】
（１）先ず、複写機１のアプリケーション切り替えキー２０６のコピーボタンが押下されると、複写機１は「暗証コードを入力して下さい」を表示する。このとき装置１０は何も表示しない。
【００９８】
（２）次いで複写機１は例えば暗証コード＝００１がテンキー２０５を介して入力すると、装置１０に対して暗証コード＝００１の「ユーザ状態通知要求」を送信する。
【００９９】
（３）次いで装置１０は暗証コード＝００１の「ユーザ状態通知」を送信し、また、何も表示しない。
【０１００】
（４）次いで複写機１は暗証コード＝００１が現在のアプリに対して何も制限がない場合には「コピーできます」を表示し、制限がある場合には「暗証コードを入力して下さい」又は「選択した機能は使用できません」を表示する。装置１０は暗証コード＝００１のカウント値を表示する。
【０１０１】
（５）次いで複写機１はスタートキー２０７が押下されてコピーを開始すると、装置１０に対してＩＤコード＝００１の「カウント要求」を送信し、また、「コピー中です」を表示する。装置１０は「カウント要求」が送られてくる毎にＩＤコード＝００１のカウントを行い、また、表示カウント数をカウントアップする。
【０１０２】
（６）次いで複写機１はジョブが終了すると「コピーできます」を表示する。
【０１０３】
（７）次いで複写機１はモードクリアキーが押下されるとＩＤコード＝００１のを無効化して「暗証コードを入力して下さい」を表示する。このとき装置１０は何も表示しない。
【図面の簡単な説明】
【０１０４】
【図１】本発明に係る画像形成装置管理システムの一実施形態を示す構成図である。
【図２】図１の複写機の操作部を示す構成図である。
【図３】図１の複写機のソフトウエア構造を示す説明図である。
【図４】図１の画像形成装置管理システムのハードウエア構成を示すブロック図である。
【図５】アプリケーション層とシステム制御層の関係を示す説明図である。
【図６】コピーアプリケーションとプリンタアプリケーションのインタリーブ動作を示す説明図である。
【図７】ＦＡＸアプリケーションとプリンタアプリケーションの並列動作を示す説明図である。
【図８】送信状態遷移を示す説明図である。
【図９】受信状態遷移を示す説明図である。
【図１０】図１の画像形成装置管理システムの動作を示す説明図である。
【図１１】第２の実施形態の画像形成装置管理システムの動作を示す説明図である。
【符号の説明】
【０１０５】
１  複写機
１０  管理装置
１２  カード
２０５  テンキー
【図１】
2006056248.tif 000003
【図２】
2006056248.tif 000004
【図３】
2006056248.tif 000005
【図４】
2006056248.tif 000006
【図５】
2006056248.tif 000007
【図６】
2006056248.tif 000008
【図７】
2006056248.tif 000009
【図８】
2006056248.tif 000010
【図９】
2006056248.tif 000011
【図１０】
2006056248.tif 000012
【図１１】
2006056248.tif 000013
【手続補正書】
【提出日】平成17年9月7日(2005.9.7)
【手続補正１】
【補正対象書類名】特許請求の範囲
【補正対象項目名】全文
【補正方法】変更
【補正の内容】
【特許請求の範囲】
【請求項１】
複数のアプリケーションを実行可能な画像形成手段と、前記画像形成手段を利用するためのＩＤコードが記録された記録媒体から該ＩＤコードを読み取る読取手段とを備える画像形成システムにおいて、
前記読取手段により読み取られた前記ＩＤコード毎に前記画像形成手段の使用可否を識別する識別手段と、
前記読取手段により読み取られた前記ＩＤコード毎に前記画像形成手段のアプリケーションの使用を制限する制限手段と、
を有することを特徴とする画像形成システム。
【請求項２】
複数のアプリケーションを実行可能な画像形成手段と、前記画像形成手段を利用するためのＩＤコードが記録された記録媒体から該ＩＤコードを読み取る読取手段とを備える画像形成システムにおいて、
前記読取手段により読み取られた前記ＩＤコード毎に前記画像形成手段の使用可否を識別する識別手段と、
前記読取手段により読み取られた前記ＩＤコード毎に前記画像形成手段のモードの使用を制限する制限手段と、
を有することを特徴とする画像形成システム。
【請求項３】
複数のアプリケーションを実行可能な画像形成手段と、前記画像形成手段を利用するためのＩＤコードが記録された記録媒体から該ＩＤコードを読み取る読取手段とを備える画像形成システムにおいて、
前記ＩＤコード毎に予め使用可能なプリント上限枚数が設定されている設定手段を有し、プリント枚数が前記上限枚数に達するとプリント動作を不許可とすることを特徴とする画像形成システム。  
【請求項４】
複数のアプリケーションを実行可能な画像形成手段と、前記画像形成手段を利用するための暗証コードを入力する入力手段とを備えた画像形成装置において、
前記入力手段により入力した前記暗証コード毎に前記画像形成手段の使用可否を識別する識別手段と、
前記入力手段により入力した前記暗証コード毎に前記画像形成手段のアプリケーションの使用を制限する制限手段と、
を有することを特徴とする画像形成装置。
【請求項５】
複数のアプリケーションを実行可能な画像形成手段と、前記画像形成手段を利用するための暗証コードを入力する入力手段とを備えた画像形成装置において、
前記入力手段により入力した前記暗証コード毎に画像形成手段の使用可否を識別する識別手段と、
前記入力手段により入力した前記暗証コード毎に前記画像形成手段のモードの使用を制限する制限手段と、
を有することを特徴とする画像形成装置。
【請求項６】
複数のアプリケーションを実行可能な画像形成手段と、前記画像形成手段を利用するための暗証コードを入力する入力手段とを備えた画像形成装置において、
前記暗証コード毎に予め使用可能なプリント上限枚数が設定されている設定手段を有し、プリント枚数が前記上限枚数に達するとプリント動作を不許可とすることを特徴とする画像形成装置。  
【請求項７】
複数のアプリケーションを実行可能な画像形成手段と、前記画像形成手段を利用するためのＩＤコードが記録された記録媒体から該ＩＤコードを読み取る読取手段とを備える画像形成システムの管理方法において、
前記読取手段により読み取られた前記ＩＤコード毎に前記画像形成手段の使用可否を識別し、
前記読取手段により読み取られた前記ＩＤコード毎に前記画像形成手段のアプリケーションの使用を制限することを特徴とする画像形成システムの管理方法。
【請求項８】
複数のアプリケーションを実行可能な画像形成手段と、前記画像形成手段を利用するためのＩＤコードが記録された記録媒体から該ＩＤコードを読み取る読取手段とを備える画像形成システムの管理方法において、
前記読取手段により読み取られた前記ＩＤコード毎に前記画像形成手段の使用可否を識別し、
前記読取手段により読み取られた前記ＩＤコード毎に前記画像形成手段のモードの使用を制限することを特徴とする画像形成システムの管理方法。
【請求項９】
複数のアプリケーションを実行可能な画像形成手段と、前記画像形成手段を利用するためのＩＤコードが記録された記録媒体から該ＩＤコードを読み取る読取手段とを備える画像形成システムの管理方法において、
前記ＩＤコード毎に予め使用可能なプリント上限枚数を設定し、
プリント枚数が前記上限枚数に達するとプリント動作を不許可とすることを特徴とする画像形成システムの管理方法。  
【請求項１０】
複数のアプリケーションを実行可能な画像形成手段と、前記画像形成手段を利用するための暗証コードを入力する入力手段とを備えた画像形成装置の管理方法において、
前記入力手段により入力した前記暗証コード毎に前記画像形成手段の使用可否を識別し、
前記入力手段により入力した前記暗証コード毎に前記画像形成手段のアプリケーションの使用を制限することを特徴とする画像形成装置の管理方法。
【請求項１１】
複数のアプリケーションを実行可能な画像形成手段と、前記画像形成手段を利用するための暗証コードを入力する入力手段とを備えた画像形成装置の管理方法において、
前記入力手段により入力した前記暗証コード毎に画像形成手段の使用可否を識別し、
前記入力手段により入力した前記暗証コード毎に前記画像形成手段のモードの使用を制限することを特徴とする画像形成装置の管理方法。
【請求項１２】
複数のアプリケーションを実行可能な画像形成手段と、前記画像形成手段を利用するための暗証コードを入力する入力手段とを備えた画像形成装置の管理方法において、
前記暗証コード毎に予め使用可能なプリント上限枚数を設定し、
プリント枚数が前記上限枚数に達するとプリント動作を不許可とすることを特徴とする画像形成装置の管理方法。
【手続補正２】
【補正対象書類名】明細書
【補正対象項目名】０００１
【補正方法】変更
【補正の内容】
【０００１】
本発明は、複写機、プリンタ、ファクシミリなどの画像形成装置の使用状況を記録媒体や暗証コードにより管理する画像形成システム、画像形成装置及びこれらの管理方法に関する。
【手続補正３】
【補正対象書類名】明細書
【補正対象項目名】０００７
【補正方法】変更
【補正の内容】
【０００７】
本発明の目的は、記録媒体を用いるシステムにおいてユーザの使い勝手を向上させることができるようにすることにある。
【手続補正４】
【補正対象書類名】明細書
【補正対象項目名】０００８
【補正方法】変更
【補正の内容】
【０００８】
また、他の目的は、暗証コードを用いるシステムにおいてＩＤ数や記憶情報量が多い場合にも対応することができるようにすることにある。
【手続補正５】
【補正対象書類名】明細書
【補正対象項目名】０００９
【補正方法】変更
【補正の内容】
【０００９】
上記目的を達成するため、第１の手段は、複数のアプリケーションを実行可能な画像形成手段と、前記画像形成手段を利用するためのＩＤコードが記録された記録媒体から該ＩＤコードを読み取る読取手段とを備える画像形成システムにおいて、前記読取手段により読み取られた前記ＩＤコード毎に前記画像形成手段の使用可否を識別する識別手段と、前記読取手段により読み取られた前記ＩＤコード毎に前記画像形成手段のアプリケーションの使用を制限する制限手段とを有することを特徴とする。
【手続補正６】
【補正対象書類名】明細書
【補正対象項目名】００１０
【補正方法】変更
【補正の内容】
【００１０】
第２の手段は、複数のアプリケーションを実行可能な画像形成手段と、前記画像形成手段を利用するためのＩＤコードが記録された記録媒体から該ＩＤコードを読み取る読取手段とを備える画像形成システムにおいて、前記読取手段により読み取られた前記ＩＤコード毎に前記画像形成手段の使用可否を識別する識別手段と、前記読取手段により読み取られた前記ＩＤコード毎に前記画像形成手段のモードの使用を制限する制限手段と、
を有することを特徴とする。
【手続補正７】
【補正対象書類名】明細書
【補正対象項目名】００１１
【補正方法】変更
【補正の内容】
【００１１】
第３の手段は、複数のアプリケーションを実行可能な画像形成手段と、前記画像形成手段を利用するためのＩＤコードが記録された記録媒体から該ＩＤコードを読み取る読取手段とを備える画像形成システムにおいて、前記ＩＤコード毎に予め使用可能なプリント上限枚数が設定されている設定手段を有し、プリント枚数が前記上限枚数に達するとプリント動作を不許可とすることを特徴とする。  
【手続補正８】
【補正対象書類名】明細書
【補正対象項目名】００１２
【補正方法】変更
【補正の内容】
【００１２】
第４の手段は、  複数のアプリケーションを実行可能な画像形成手段と、前記画像形成手段を利用するための暗証コードを入力する入力手段とを備えた画像形成装置において、前記入力手段により入力した前記暗証コード毎に前記画像形成手段の使用可否を識別する識別手段と、前記入力手段により入力した前記暗証コード毎に前記画像形成手段のアプリケーションの使用を制限する制限手段とを有することを特徴とする。
【手続補正９】
【補正対象書類名】明細書
【補正対象項目名】００１３
【補正方法】変更
【補正の内容】
【００１３】
第５の手段は、複数のアプリケーションを実行可能な画像形成手段と、前記画像形成手段を利用するための暗証コードを入力する入力手段とを備えた画像形成装置において、前記入力手段により入力した前記暗証コード毎に画像形成手段の使用可否を識別する識別手段と、前記入力手段により入力した前記暗証コード毎に前記画像形成手段のモードの使用を制限する制限手段とを有することを特徴とする。
【手続補正１０】
【補正対象書類名】明細書
【補正対象項目名】００１４
【補正方法】変更
【補正の内容】
【００１４】
第６の手段は、複数のアプリケーションを実行可能な画像形成手段と、前記画像形成手段を利用するための暗証コードを入力する入力手段とを備えた画像形成装置において、前記暗証コード毎に予め使用可能なプリント上限枚数が設定されている設定手段を有し、プリント枚数が前記上限枚数に達するとプリント動作を不許可とすることを特徴とする。  
【手続補正１１】
【補正対象書類名】明細書
【補正対象項目名】００１５
【補正方法】変更
【補正の内容】
【００１５】
第７の手段は、複数のアプリケーションを実行可能な画像形成手段と、前記画像形成手段を利用するためのＩＤコードが記録された記録媒体から該ＩＤコードを読み取る読取手段とを備える画像形成システムの管理方法において、前記読取手段により読み取られた前記ＩＤコード毎に前記画像形成手段の使用可否を識別し、前記読取手段により読み取られた前記ＩＤコード毎に前記画像形成手段のアプリケーションの使用を制限することを特徴とする。
【手続補正１２】
【補正対象書類名】明細書
【補正対象項目名】００１６
【補正方法】変更
【補正の内容】
【００１６】
第８の手段は、複数のアプリケーションを実行可能な画像形成手段と、前記画像形成手段を利用するためのＩＤコードが記録された記録媒体から該ＩＤコードを読み取る読取手段とを備える画像形成システムの管理方法において、前記読取手段により読み取られた前記ＩＤコード毎に前記画像形成手段の使用可否を識別し、前記読取手段により読み取られた前記ＩＤコード毎に前記画像形成手段のモードの使用を制限することを特徴とする。
【手続補正１３】
【補正対象書類名】明細書
【補正対象項目名】００１７
【補正方法】変更
【補正の内容】
【００１７】
第９の手段は、複数のアプリケーションを実行可能な画像形成手段と、前記画像形成手段を利用するためのＩＤコードが記録された記録媒体から該ＩＤコードを読み取る読取手段とを備える画像形成システムの管理方法において、前記ＩＤコード毎に予め使用可能なプリント上限枚数を設定し、プリント枚数が前記上限枚数に達するとプリント動作を不許可とすることを特徴とする。  
第１０の手段は、複数のアプリケーションを実行可能な画像形成手段と、前記画像形成手段を利用するための暗証コードを入力する入力手段とを備えた画像形成装置の管理方法において、前記入力手段により入力した前記暗証コード毎に前記画像形成手段の使用可否を識別し、前記入力手段により入力した前記暗証コード毎に前記画像形成手段のアプリケーションの使用を制限することを特徴とする。
第１１の手段は、複数のアプリケーションを実行可能な画像形成手段と、前記画像形成手段を利用するための暗証コードを入力する入力手段とを備えた画像形成装置の管理方法において、前記入力手段により入力した前記暗証コード毎に画像形成手段の使用可否を識別し、前記入力手段により入力した前記暗証コード毎に前記画像形成手段のモードの使用を制限することを特徴とする。
第１２の手段は、複数のアプリケーションを実行可能な画像形成手段と、前記画像形成手段を利用するための暗証コードを入力する入力手段とを備えた画像形成装置の管理方法において、前記暗証コード毎に予め使用可能なプリント上限枚数を設定し、プリント枚数が前記上限枚数に達するとプリント動作を不許可とすることを特徴とする。
【手続補正１４】
【補正対象書類名】明細書
【補正対象項目名】００１８
【補正方法】変更
【補正の内容】
【００１８】
本発明によれば、記録媒体を用いるシステムにおいてユーザの使い勝手を向上させることができ、また、暗証コードを用いるシステムにおいてＩＤ数や記憶情報量が多い場合にも対応することができる。
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】